(57)【要約】【課題】潜熱回収用熱交換器で発生するドレンを中和して浴室排水口に導き、浴室排水口が冠水してもドレンが逆流することを防げるドレン中和器を提供する。【解決手段】ドレン導入口１２から導入されるドレンをドレン貯留室１４で貯留して中和し、ドレン排出口１３から浴室排水口１５に導く。仕切り壁１１によってドレン貯留室１４をドレン導入口１２側の水封室９とドレン排出口１３側の排水室１０とに仕切る。仕切り壁１１の下端側では水封室９と排水室１０を連通する。水封室９はドレン導入口２からドレンと共にドレン貯留室１４側に流れてくる排気をドレンによって水封してドレン排出口１３側に流れることを防ぐ。排水室１０からドレン排出口１３に至る領域には、浴室排水口１５の冠水時にドレン排出口１３が水封されたときにドレンがドレン貯留室１４からドレン導入口１２側に逆流することを防ぐ空気抜き穴１７を設ける。【選択図】図１
2008032355.tif 000002
【特許請求の範囲】
【請求項１】
バーナの排気潜熱を回収する潜熱回収用熱交換器で発生するドレンを中和して浴室排水口に導くドレン中和器であって、前記ドレンを導入するドレン導入口と、該ドレン導入口から導入されるドレンを貯留して中和するドレン貯留室と、該ドレン貯留室を通ったドレンを浴室排水口に導くドレン排出口とを有し、前記ドレン貯留室には該ドレン貯留室の上端から下端側に向けて伸設されて前記ドレン貯留室を前記ドレン導入口側の水封室と前記ドレン排出口側の排水室とに仕切る仕切り壁が設けられ、該仕切り壁の下端側には前記水封室と前記排水室とを連通する連通部が設けられており、前記水封室は前記ドレン導入口からドレンと共にドレン貯留室側に流れてくる排気をドレンによって水封して前記ドレン排出口側に流れることを防ぐ排気の水封室と成し、前記排水室から前記ドレン排出口に至る領域には浴室排水口の冠水時に前記ドレン排出口が水封されたときに前記ドレンが前記ドレン貯留室からドレン導入口側に逆流することを防ぐ空気抜き穴が設けられていることを特徴とするドレン中和器。
【発明の詳細な説明】
【技術分野】
【０００１】
本発明は、潜熱回収用熱交換器で発生するドレンを中和するドレン中和器に関するものである。
【背景技術】
【０００２】
図２には、燃焼装置である給湯器の一例が模式図により示されており、従来、この図に示すような燃焼装置が様々に提案されている（例えば、特許文献１、参照。）。
【０００３】
同図において、器具ケース４０内に設けられた燃焼室２０内には、バーナ１が配置され、このバーナ１にはバーナ１に燃料を供給するガス管４２が接続され、このガス管４２にはバーナ１への燃料供給・停止を制御するための開閉弁（図示せず）と、バーナ１への供給燃料量を弁開度でもって制御することができる比例弁（図示せず）とが介設されている。
【０００４】
バーナ１の下方側には、バーナ１の燃焼の給排気を行なう燃焼ファン５が設けられている。この給湯器は、燃焼ファン５の回転によって外部より吸気する空気をバーナ１に送り、この空気と、ガス管４２を通って供給されるガスとによってバーナ燃焼を行い、かつ、バーナ燃焼により生じた燃焼ガスを、燃焼ファン５の回転によって、燃焼室２０から排気口８側に送って排気する。
【０００５】
上記バーナ１の上側には、バーナ１の燃焼ガス中の顕熱を回収するメインの熱交換器（一次熱交換器）４と、このメインの熱交換器４よりも前記燃焼ガスの流れの下流側に設けられて、燃焼ガスの顕熱および潜熱を回収する潜熱回収用熱交換器（二次熱交換器）６が互いに間隔を介して配置されている。それぞれの熱交換器４，６は、例えばバーナ１の燃焼ガスの熱を受ける受熱流体としての水を通す金属製等の受熱管路３４，３６と、受熱管路３４，３６の外側に、受熱管路３４，３６と略垂直に設けた複数のフィン３５，３７とを有し、フィン３５，３７は互いに間隔を介して設けられている。
【０００６】
潜熱回収用熱交換器６の入り口側には、水供給源から潜熱回収用熱交換器６に水を導く給水管４６が接続されており、潜熱回収用熱交換器６の出口側とメインの熱交換器４の入り口側は、接続管４８を介して接続されている。また、メインの熱交換器４の出口側には給湯管４７が接続されている。なお、図２は、給水管４６、給湯管４７、接続管４８をそれぞれ線状矢印によって模式的に示しているが、これら給水管４６、給湯管４７、接続管４８は、水を流通する、例えば断面が円形状の管路である。
【０００７】
通常、給水管４６には、給水管４６から供給されて潜熱回収用熱交換器６へ流れ込む水の入水温度を検出する入水サーミスタ（図示せず）と、潜熱回収用熱交換器６へ流れ込む水の流量を検出する水量センサ（図示せず）とが設けられており、また、給湯管４７には流れ出る湯の温度を検出することができる出湯サーミスタ（図示せず）が設けられている。
【０００８】
潜熱回収用熱交換器６の下側には、該潜熱回収用熱交換器６で発生するドレン（凝縮水の水滴）を回収するドレン回収手段としてのドレンの受け皿４３が設けられ、受け皿４３にたまったドレンを、ドレン管４４を介して器具ケース４０の外部に排出するようにしている。なお、ドレンは、燃焼ガス中の窒素酸化物（ＮＯｘ）、硫黄酸化物（ＳＯｘ）等を含むため、ｐＨ２〜４の強酸性であるため、例えば炭酸カルシウム等を粒状にしたもの等をドレンに混ぜて中和する必要がある。ドレンは、炭酸カルシウムと反応することで中性を示す硝酸カルシウムとなる。
【０００９】
バーナ１の燃焼制御と、燃焼ファン５の回転制御は、前記各センサの検出信号に基づき、燃焼制御装置（図示せず）により、予め与えられたシーケンスプログラムにしたがって行われており、前記の如く、ガス管４２から供給されるガスと燃焼ファン５により送られる空気とによってバーナ１の燃焼が行われる。給湯器は、このバーナ１の燃焼に伴い、水を給水管４６から潜熱回収用熱交換器６とメインの熱交換器４を順に通して湯を作りだし、給湯管４７を介して台所等の給湯先に導いて給湯する給湯機能を備えている。
【００１０】
なお、潜熱回収用熱交換器６を備えた給湯器において、バーナ１からの高温の燃焼ガスは、例えば図２の破線矢印に示すように、バーナ１の上側からメインの熱交換器４の配設領域を通り、受け皿４３の下側を通って、潜熱回収用熱交換器６の配置領域側に水平方向側から入り込む。そして、潜熱回収用熱交換器６の配設領域を通った燃焼ガスは、排気口８側から排気される。
【００１１】
そして、燃焼ガスがメインの熱交換器４を通過する間に、燃焼ガスとメインの熱交換器４に供給される水との間で熱交換が行われ、燃焼ガスの顕熱が回収される。また、メインの熱交換器４を通過した燃焼ガスが潜熱回収用熱交換器６を通過する間に、燃焼ガスと潜熱回収用熱交換器６に供給される水との間で熱交換することで、燃焼ガスの顕熱および潜熱が回収される。
【００１２】
潜熱回収用熱交換器６による燃焼ガスの潜熱回収は、水蒸気を含んだ燃焼ガスを飽和温度以下の低温伝熱面に接触させて燃焼ガス中の水蒸気を凝縮させることにより行われる。すなわち、水蒸気が凝縮する際に発生する凝縮潜熱を回収するものであり、通常は、燃焼ガスとして給湯器等の燃焼系の外に排出されてしまう燃焼ガスの水蒸気の持つエンタルピーを回収するものである。
【００１３】
このように、潜熱回収用熱交換器６を備えた給湯器においては、バーナ１の燃焼による燃焼ガスが潜熱回収用熱交換器６を通るときに、潜熱回収用熱交換器６内の水管を通る水が、燃焼ガス中の水蒸気が保有している潜熱を奪って（潜熱を回収して）温度を高め、さらにメインの熱交換器４を通るときに、バーナ１の燃焼火力でもって加熱されて設定温度の湯が作り出されるので、バーナ１によって効率の良い加熱ができる。
【００１４】
つまり、潜熱回収用熱交換器６を設けることにより、例えば給湯器においては、高位発熱量（総発熱量）ベースで熱効率が約９０％以上に達し、潜熱回収用熱交換器６が設けられていない通常の給湯器に比べ、高い熱効率が達成される。
【００１５】
【特許文献１】特開２０００−３０１１６７号公報
【発明の開示】
【発明が解決しようとする課題】
【００１６】
ところで、上記の如く、ドレンをドレン排水管４４から器具ケース４０の下部側に流出させるとすると、液状の排水が器具ケース４０の外部に流出されることになるため、特に、例えばマンション等の集合住宅やオフィスビル等のように、風呂給湯装置がベランダ等に配置される場合、利用者は非常に不快な思いをすることになる。
【００１７】
そこで、図３に示すように、ドレン中和器３を浴室２０内に配置し、燃焼装置２５から流出するドレンを、ドレン中和器３を介して浴室２０の排水口（浴室排水口１５）に導くことが考えられる。なお、この場合、屋内配置されるドレン中和器３には、燃焼装置２５側からドレンと共にドレン中和器３側に流れる排気が浴室２０内に流れないようにする構成が必要となる。
【００１８】
そこで、ドレン中和器３は、図４（ａ）に示すように形成することが考えられる。このドレン中和器３は、ドレンを導入するドレン導入口１２と、該ドレン導入口１２から導入されるドレンを貯留して中和するドレン貯留室１４と、該ドレン貯留室１４を通ったドレンを浴室排水口に導くドレン排出口１３とを有している。
【００１９】
ドレン貯留室１４には仕切り壁１１が設けられている。この仕切り壁１１は、ドレン貯留室１４の上端から下端側に向けて伸設されて、ドレン貯留室１４を前記ドレン導入口１２側の水封室９と前記ドレン排出口側１３の排水室１０とに仕切る壁であり、仕切り壁１１の下端側には前記水封室９と前記排水室１０とを連通する連通部１６が設けられている。
【００２０】
このドレン中和器３は、前記水封室９を、前記ドレン導入口１２からドレンと共にドレン貯留室１４側に流れてくる排気をドレンによって水封して前記ドレン排出口１３側に流れることを防ぐ排気の水封室と成すことにより、排気がドレン排出口１３を通して浴室２０内に流れることを抑制できる。
【００２１】
しかしながら、図３に示すように、浴室排水口１５は、浴槽２６の湯水の排水口も兼ねており、浴槽２６内の湯水を排水すると、図４（ｂ）に示すように、浴室排水口１５が一時的に冠水してしまう。そうなると、ドレン中和器３のドレン排出口１３が水封され、排水室１０からドレン排出口１３側に至る領域が気封状態になるので、ドレンがドレン排出口１３から排出されず、場合によっては、ドレン貯留室１４からドレン導入口１２側に逆流してしまうといった問題が生じる。
【００２２】
本発明は、上記従来の課題を解決するために成されたものであり、その目的は、燃焼装置の潜熱回収用熱交換器で発生するドレンを中和して浴室排水口に導くことができ、浴室排水口が冠水してもドレンが燃焼装置側に逆流することを防げるドレン中和器を提供することにある。
【課題を解決するための手段】
【００２３】
上記目的を達成するために、本発明は次のような構成をもって課題を解決するための手段としている。すなわち、本発明は、バーナの排気潜熱を回収する潜熱回収用熱交換器で発生するドレンを中和して浴室排水口に導くドレン中和器であって、前記ドレンを導入するドレン導入口と、該ドレン導入口から導入されるドレンを貯留して中和するドレン貯留室と、該ドレン貯留室を通ったドレンを浴室排水口に導くドレン排出口とを有し、前記ドレン貯留室には該ドレン貯留室の上端から下端側に向けて伸設されて前記ドレン貯留室を前記ドレン導入口側の水封室と前記ドレン排出口側の排水室とに仕切る仕切り壁が設けられ、該仕切り壁の下端側には前記水封室と前記排水室とを連通する連通部が設けられており、前記水封室は前記ドレン導入口からドレンと共にドレン貯留室側に流れてくる排気をドレンによって水封して前記ドレン排出口側に流れることを防ぐ排気の水封室と成し、該排水室から前記ドレン排出口に至る領域には浴室排水口の冠水時に前記ドレン排出口が水封されたときに前記ドレンが前記ドレン貯留室からドレン導入口側に逆流することを防ぐ空気抜き穴が設けられている構成をもって課題を解決する手段としている。
【発明の効果】
【００２４】
本発明は、ドレン導入口から導入されるドレンを貯留するドレン貯留室を、仕切り壁によって、ドレン導入口側の水封室とドレン排出口側の排水室とに仕切り、仕切り壁の下部側の連通部により水封室と排水室とを連通させており、水封室によって排気ガスをドレンで水封しつつ、排水室側を通してドレンをドレン排出口側から排出できる。
【００２５】
このドレンの排出において、本発明によれば、排水室から前記ドレン排出口に至る領域に、浴室排水口の冠水時に前記ドレン排出口が水封されたときにドレンが前記ドレン貯留室からドレン導入口側に逆流することを防ぐ空気抜き穴が設けられているので、通常時はもとより、たとえ浴室排水口が浴槽湯水の排水等に伴って冠水したとしても、ドレンをドレン排出口から排出でき、ドレンの逆流を防ぐことができる。
【発明を実施するための最良の形態】
【００２６】
以下、本発明の実施の形態を、図面を参照して説明する。なお、本実施形態例の説明において、これまでの説明に示した例と同一名称部分には同一符号を付し、その重複説明は省略又は簡略化する。
【００２７】
図１（ａ）、（ｂ）には、本発明に係るドレン中和器の一実施形態例の構成が浴室２０に配置された状態で示されている。本実施形態例のドレン中和器は、図４に示したドレン中和器３とほぼ同様に構成されており、本実施形態例の特徴は、排水室１０からドレン排出口１３に至る領域に、浴室排水口１５の冠水時にドレン排出口１３が水封されたときにドレンがドレン貯留室１４からドレン導入口１２側に逆流することを防ぐ空気抜き穴１７が設けられていることである。
【００２８】
なお、連通部１６は、例えば仕切り壁１１を、その下端がドレン貯留室１４の底壁と間隔を介するように形成し、この隙間を連通部１６としてもよいし、仕切り壁１１の下端側に貫通穴を形成して、この貫通孔を連通部１６としてもよい。また、ドレン貯留室１４内には、図示されていない炭酸カルシウム等の中和剤が配設されており、この中和剤によりドレンが中和される。
【００２９】
本実施形態例は以上のように構成されており、図１（ｂ）に示すように、浴室排水口１５の冠水時に、ドレン中和器３のドレン排出口１３が水封されたときでも、空気抜き穴１７によってドレン貯留室１４内の空気を外部に逃がすことができるので、図４（ｂ）に示したドレン中和器のように排水室１０が気密状態にはならず、ドレンをドレン排出口１３から排出でき、ドレンがドレン貯留室１４からドレン導入口１２側に逆流することを防ぐことができる。
【００３０】
つまり、本発明は、ドレンのドレン導入口１２側への逆流の危惧はなく、燃焼装置２５の潜熱回収用熱交換器６で発生するドレンを適宜中和して浴室排水口１５に導くことができる。
【００３１】
なお、本発明は上記各実施形態例に限定されることはなく、様々な態様を採り得る。例えば、上記実施形態例では、空気抜き穴１７を排水室１０の上部側に形成したが、図１（ａ）の破線Ａに示す位置等に、排水室１０の側部側に形成してもよく、空気抜き穴１７の形成箇所は適宜設定されるものである。
【００３２】
また、上記説明は、ドレン中和器３を接続する燃焼装置２５として、給湯器について説明したが、ドレン中和器３を接続する燃焼装置は給湯器とは限らず、風呂釜や、給湯器と風呂釜の両方の機能を備えた複合給湯器等、適宜の燃焼装置にドレン中和器３を接続することができる。
【００３３】
さらに、本発明のドレン中和器は、燃焼装置内に組み込んで設けることもできる。
【図面の簡単な説明】
【００３４】
【図１】本発明に係るドレン中和器の一実施形態例を模式的に示す説明図である。
【図２】潜熱回収用熱交換器を備えた燃焼装置の一例を模式的に示す説明図である。
【図３】燃焼装置にドレン中和器を接続して浴室内に配置する構成を説明するための模式図である。
【図４】浴室配置のドレン中和器の構成例とその問題点を説明するための模式図である。
【符号の説明】
【００３５】
１  バーナ
３  ドレン中和器
４  メインの熱交換器
５  燃焼ファン
６  潜熱回収用熱交換器
９  水封室
１０  排水室
１１  仕切り壁
１２  ドレン導入口
１３  ドレン排出口
１４  ドレン貯留室
１５  浴室排水口
１６  連通部
１７  空気抜き穴
【図１】
2008032355.tif 000003
【図２】
2008032355.tif 000004
【図３】
2008032355.tif 000005
【図４】
2008032355.tif 000006